(57)【特許請求の範囲】
【請求項１】
ヒンジ装置において、該ヒンジ装置は、上段活動フレーム（１）、駆動ラチェット（１１）、下段底フレーム（２）、伝動装置（３）及びキャップ（４）を具え、
該上段活動フレーム（１）は、その一辺の中央が延伸並びに折り曲げられて平面（１０００）を具えた環体（１０）が設けられ、該上段活動フレーム（１）の環体（１０）の中央の環孔（１００）に、該平面（１０００）と対向する部分に平面（１１３）が設けられた駆動ラチェット（１１）が挿入され、上段活動フレーム（１）より外向きに固定端（１０２）が延伸され、
該駆動ラチェット（１１）は、その両側端にそれぞれラチェット歯（１１０）が設けられ、駆動ラチェット（１１）の両側内部にそれぞれ凹槽（１１１）が設けられ、凹槽（１１１）内の上下の対応部分よりそれぞれ凸キー（１１２）が突出し、別に該駆動ラチェット（１１）の環周に平面（１１３）が設けられ、平面（１１３）の中央にネジ孔（１１３０）が設けられて、駆動ラチェット（１１）の平面（１１３）が上段活動フレーム（１）の環体（１０）の平面（１０００）と接合されて所定角度に固定され、
該下段底フレーム（２）は、その中央に設けられた切欠き（２０）の両側に、それぞれ環体（２１）が延伸折り曲げにより形成され、該下段底フレーム（２）の環体（２１）の上部内側端にそれぞれ平面（２１０）が設けられ、環体（２１）の中央の環孔（２１１）外側部に雌ネジ（２１１０）が設けられ、
該伝動装置（３）は軸心（３０）両端の軸棒（３００）に回転プッシャー（３１）、伝動ラチェット（３２）、スプリング（３３）が嵌合されてなり、ヒンジの上段活動フレーム（１）の環体（１０）及び下段底フレーム（２）両側の環体（２１）内部に挿入され、さらにキャップ（４）の螺合により封鎖固定され、
該回転プッシャー（３１）の別側辺の上下それぞれにストッパブロック（３１０）が設けられて、駆動ラチェット（１１）の両側の凸キー（１１２）と回転移動時に相互に係止し、並びに別側辺の内部に凹面（３１１）が設けられて、軸心（３０）が挿入され、回転プッシャー（３１）の一側辺の、ストッパブロック（３１０）と対応する部分に弧形凸塊（３１２）が設けられ、
該伝動ラチェット（３２）のラチェット歯（３２０）が、駆動ラチェット（１１）の両側端のラチェット歯（１１０）と噛み合い、並びに内部の収容空間（３２１）に嵌め溝（３２２）が設けられ、回転プッシャー（３１）の一側辺の弧形凸塊（３１２）が嵌め込まれ、該伝動ラチェット（３２）の一側辺の凸棒（３２３）にスプリング（３３）が套設され、伝動ラチェット（３２）の上部周縁に平面（３２４）が設けられて、下段底フレーム（２）両側の環体（２１）上内側端の平面（２１０）と接触し、
該スプリング（３３）は第一端（３３０）が伝動ラチェット（３２）の一側辺の凸棒（３２３）に套設され、もう一端（３３１）がキャップ（４）の螺合により封鎖され、スプリング（３３）が下段底フレーム（２）の両側の環体（２１）内に収容され、そのうち、伝動装置（３）により上段活動フレーム（１）と下段底フレーム（２）が連接され、下段底フレーム（２）の板面（２００）底端の上段活動フレーム（１）を回転させて使用できる０から１２０度の角度に展開する時、駆動ラチェット（１１）両側の上下の凸キー（１１２）がそれぞれ下段底フレーム（２）両端の環体（２１）内側の回転プッシャー（３１）のストッパブロック（３１０）と係止を形成し、展開をストップして使用角度に位置決めでき、別に、ヒンジの上段活動フレーム（１）を更に上向きに展開して１２０度を超過する時、駆動ラチェット（１１）両側上下の凸キー（１１２）が回転プッシャー（３１）のストッパブロック（３１０）を押して回転移動させ、並びに回転プッシャー（３１）の一側が嵌め溝（３２２）内の弧形凸塊（３１２）と離脱状を呈すると共に、伝動ラチェット（３２）を押動してそれぞれ外向きに直線移動させ、即ち、駆動ラチェット（１１）と伝動ラチェット（３２）の間のラチェット歯（１１０）、（３２０）が未噛み合いとなり離脱し、上段活動フレーム（１）を反対方向に回復させることができ、これにより駆動ラチェット（１１）両側の凸キー（１１２）が反対方向に回転移動し並びに回転プッシャー（３１）の別側のストッパブロック（３１０）を回し、これにより回転プッシャー（３１）の一側の弧形凸塊（３１２）が回転移動して伝動ラチェット（３２）の嵌め溝（３２２）内に嵌まり込み、即ち上段活動フレーム（１）上の板面（６００）に固定され、折り畳み位置決め状態を達成することを特徴とする、ヒンジ装置。
【発明の詳細な説明】
【０００１】
【発明の属する技術分野】
本発明は一種のヒンジ装置に関する。
【０００２】
【従来の技術】
現在テーブル或いはフレームの組立の設計が固定方式とされる時、使用上、実用に耐えるとはいえ、以下のような欠点も有していた。
１．伝統的な固定式テーブルや棚は、現場使用が必要な時、必要な戸板、テーブル或いはフレームを直接釘で固定するが、物品を積み重ねて配送する時、釘で固定されたテーブルや棚は大きな空間を占用し、搬送時間、コストを消費し、積み重ねの煩わしさを形成した。
２．組立過程中、テーブル、棚構造体（テーブル、棚は固定式組合せによりなる）に注意が必要で、運搬途中に不注意からテーブル、棚を損なうことがあり、さらにはテーブル、棚構造体を破壊することがある。
３．伝統的なテーブル、棚（特に固定式のもの）は、物品配置の空間が固定方式とされ、ゆえに物品放置を調整できる空間が制限され、配置空間に影響を与え、使用範囲が制限された。
【０００３】
【発明が解決しようとする課題】
本発明は従来の技術の問題に対して、一種のヒンジ装置を提供し、ヒンジ装置を利用し、特定角度の展開位置決め、折り畳み組立が行えるようにする。
本発明は一種のヒンジ装置を提供し、ヒンジの下段底フレームと上段活動フレームを枢接して展開、折り畳み可能とし、上段活動フレームに固定された板面を使用角度に展開する時、ヒンジの上段活動フレーム中央の駆動ラチェット両側の凸キーと伝動ラチェット内側の回転プッシャー別側辺のストッパブロックが、係止を形成し、上段活動フレームに固定された板面の展開角度を位置決めし、板面を必要な角度により展開し並びに限位できるようにする。
【０００４】
本発明のヒンジ装置は、上段活動フレーム、下段底フレーム、伝動装置及びキャップを具え、すでにテーブル或いはストック棚、貨物展示棚に固定された、移動して展開、折り畳み可能な板面に用いられ、伝動装置が上段活動フレームと下段底フレームを一つに連接し、その上段活動フレームを回転可能となし、並びにそれと噛み合う伝動装置のストッパが使用角度に展開した時の限位を形成するか、或いは伝動装置を噛み合わさせずに折り畳み位置決め状態を達成する。
【０００５】
請求項１の発明は、ヒンジ装置において、該ヒンジ装置は、上段活動フレーム（１）、駆動ラチェット（１１）、下段底フレーム（２）、伝動装置（３）及びキャップ（４）を具え、
該上段活動フレーム（１）は、その一辺の中央が延伸並びに折り曲げられて平面（１０００）を具えた環体（１０）が設けられ、該上段活動フレーム（１）の環体（１０）の中央の環孔（１００）に、該平面（１０００）と対向する部分に平面（１１３）が設けられた駆動ラチェット（１１）が挿入され、上段活動フレーム（１）より外向きに固定端（１０２）が延伸され、
該駆動ラチェット（１１）は、その両側端にそれぞれラチェット歯（１１０）が設けられ、駆動ラチェット（１１）の両側内部にそれぞれ凹槽（１１１）が設けられ、凹槽（１１１）内の上下の対応部分よりそれぞれ凸キー（１１２）が突出し、別に該駆動ラチェット（１１）の環周に平面（１１３）が設けられ、平面（１１３）の中央にネジ孔（１１３０）が設けられて、駆動ラチェット（１１）の平面（１１３）が上段活動フレーム（１）の環体（１０）の平面（１０００）と接合されて所定角度に固定され、
該下段底フレーム（２）は、その中央に設けられた切欠き（２０）の両側に、それぞれ環体（２１）が延伸折り曲げにより形成され、該下段底フレーム（２）の環体（２１）の上部内側端にそれぞれ平面（２１０）が設けられ、環体（２１）の中央の環孔（２１１）外側部に雌ネジ（２１１０）が設けられ、
該伝動装置（３）は軸心（３０）両端の軸棒（３００）に回転プッシャー（３１）、伝動ラチェット（３２）、スプリング（３３）が嵌合されてなり、ヒンジの上段活動フレーム（１）の環体（１０）及び下段底フレーム（２）両側の環体（２１）内部に挿入され、さらにキャップ（４）の螺合により封鎖固定され、
該回転プッシャー（３１）の別側辺の上下それぞれにストッパブロック（３１０）が設けられて、駆動ラチェット（１１）の両側の凸キー（１１２）と回転移動時に相互に係止し、並びに別側辺の内部に凹面（３１１）が設けられて、軸心（３０）が挿入され、回転プッシャー（３１）の一側辺の、ストッパブロック（３１０）と対応する部分に弧形凸塊（３１２）が設けられ、
該伝動ラチェット（３２）のラチェット歯（３２０）が、駆動ラチェット（１１）の両側端のラチェット歯（１１０）と噛み合い、並びに内部の収容空間（３２１）に嵌め溝（３２２）が設けられ、回転プッシャー（３１）の一側辺の弧形凸塊（３１２）が嵌め込まれ、該伝動ラチェット（３２）の一側辺の凸棒（３２３）にスプリング（３３）が套設され、伝動ラチェット（３２）の上部周縁に平面（３２４）が設けられて、下段底フレーム（２）両側の環体（２１）上内側端の平面（２１０）と接触し、
該スプリング（３３）は第一端（３３０）が伝動ラチェット（３２）の一側辺の凸棒（３２３）に套設され、もう一端（３３１）がキャップ（４）の螺合により封鎖され、スプリング（３３）が下段底フレーム（２）の両側の環体（２１）内に収容され、そのうち、伝動装置（３）により上段活動フレーム（１）と下段底フレーム（２）が連接され、下段底フレーム（２）の板面（２００）底端の上段活動フレーム（１）を回転させて使用できる０から１２０度の角度に展開する時、駆動ラチェット（１１）両側の上下の凸キー（１１２）がそれぞれ下段底フレーム（２）両端の環体（２１）内側の回転プッシャー（３１）のストッパブロック（３１０）と係止を形成し、展開をストップして使用角度に位置決めでき、別に、ヒンジの上段活動フレーム（１）を更に上向きに展開して１２０度を超過する時、駆動ラチェット（１１）両側上下の凸キー（１１２）が回転プッシャー（３１）のストッパブロック（３１０）を押して回転移動させ、並びに回転プッシャー（３１）の一側が嵌め溝（３２２）内の弧形凸塊（３１２）と離脱状を呈すると共に、伝動ラチェット（３２）を押動してそれぞれ外向きに直線移動させ、即ち、駆動ラチェット（１１）と伝動ラチェット（３２）の間のラチェット歯（１１０）、（３２０）が未噛み合いとなり離脱し、上段活動フレーム（１）を反対方向に回復させることができ、これにより駆動ラチェット（１１）両側の凸キー（１１２）が反対方向に回転移動し並びに回転プッシャー（３１）の別側のストッパブロック（３１０）を回し、これにより回転プッシャー（３１）の一側の弧形凸塊（３１２）が回転移動して伝動ラチェット（３２）の嵌め溝（３２２）内に嵌まり込み、即ち上段活動フレーム（１）上の板面（６００）に固定され、折り畳み位置決め状態を達成することを特徴とする、ヒンジ装置としている。
【０００６】
【発明の実施の形態】
図１、２、３は、本発明のヒンジを利用した実施例の分解図、斜視図及び伝動装置の分解図である。本発明はテーブル或いは倉庫用ラック、貨物展示ラックのような、展開限位及び折り畳みを必要とする物品専用に使用されるヒンジ装置であり、それは、上段活動フレーム（１）、下段底フレーム（２）及び伝動装置（３）及びキャップ（４）で組成されている。
【０００７】
該上段活動フレーム（１）の中央が折り曲げられて辺縁に平面（１０００）を具えた環体（１０）が設けられ、その間の環孔（１００）に、対応部分に平面（１１３）が設けられた駆動ラチェット（１１）が挿入され、並びに環体（１０）外縁にあってネジ（１０１）でネジ止めされるかリベットで接合され、上段活動フレーム（１）の固定端（１０２）が板面（６００）とのネジ止めに供される。
【０００８】
該駆動ラチェット（１１）の両側端にそれぞれラチェット歯（１１０）が設けられ、下段底フレーム（２）の環体（２１）内部の伝動ラチェット（３２）側辺のラチェット歯（３２０）と噛み合い、駆動ラチェット（１１）の両側内部にそれぞれ凹槽（１１１）が設けられ、凹槽（１１１）内の上下の対応部分よりそれぞれ凸キー（１１２）が突出している。別に駆動ラチェット（１１）の環辺に平面（１１３）が設けられ、平面（１１３）の中央にネジ孔（１１３０）が設けられて、駆動ラチェット（１１）の平面（１１３）が上段活動フレーム（１）の環体（１０）の平面（１０００）と対応接合されて必要な角度に固定され、組立に便利である。
【０００９】
該下段底フレーム（２）は中央の切欠き（２０）の両側にそれぞれ環体（２１）が延伸折り曲げにより形成され、環体（２１）の上内側端にそれぞれ平面（２１０）が設けられて（この平面はラチェット歯（１１０）とラチェット歯（３２０）の噛み合い時に、上段活動フレーム（１）の上方に重力が付加される時、該平面（２１０）と伝動ラチェット（３２）の平面（３２４）と当接し、即ち伝動ラチェット（３２）を制限してただ直線移動可能とし、回転不能とする）、伝動ラチェット（３２）の環周縁の平面（３２３）と当接し、環体（２１）の中央の環孔（２１１）外側部に雌ネジ（２１１０）が設けられ、内側端に回転プッシャー（３１）が嵌挿された伝動ラチェット（３２）が挿入され、さらにキャップ（４）の雄ネジ端（４０）の螺合により固定され、下段底フレーム（２）が適当な部分の壁面（６０）にネジ止めされる。
【００１０】
該伝動装置（３）は軸心（３０）両端の軸棒（３００）に回転プッシャー（３１）、伝動ラチェット（３２）、スプリング（３３）が套設されてヒンジの上段活動フレーム（１）中央の環体（１０）及び下段底フレーム（２）両側の環体（２１）内部に挿入され、さらにキャップ（４）の螺合により封鎖固定される。
【００１１】
該回転プッシャー（３１）の別側辺の上下それぞれにストッパブロック（３１０）が設けられて、駆動ラチェット（１１）の両側の凸キー（１１２）と回転移動時に相互に係止し、並びに別側辺の内部に凹面（３１１）が設けられて、軸心（３０）が挿入され、一側辺の、ストッパブロック（３１０）と対応する部分に弧形凸塊（３１２）が設けられ、伝動ラチェット（３２）の別側端のラチェット歯（３２０）内部の収容空間（３２１）の嵌め溝（３２２）内に嵌め込まれ、中央孔（３１３）に、軸心（３０）両端の軸棒（３００）が挿入される。
【００１２】
該伝動ラチェット（３２）の別側端にラチェット歯（３２０）が設けられて、駆動ラチェット（１１）の両側端のラチェット歯（１１０）と噛み合い、並びに内部の収容空間（３２１）に嵌め溝（３２２）が設けられ、回転プッシャー（３１）の一側辺の弧形凸塊（３１２）が嵌め込まれ、その一側辺の凸棒（３２３）にスプリング（３３）が套設され、伝動ラチェット（３２）の上部周縁に平面（３２４）が設けられて、下段底フレーム（２）両側の環体（２１）上内側端の平面（２１０）と接触する。
【００１３】
該スプリング（３３）は第１端（３３０）が伝動ラチェット（３２）の一側辺の凸棒（３２３）に套設され、もう一端（３３１）がキャップ（４）の螺合により封鎖され、スプリング（３３）が下段底フレーム（２）の両端の環体（２１）内に収容され、以上でヒンジ装置が形成される。
【００１４】
使用時には、図４に示されるように、ヒンジの上段活動フレーム（１）がテーブル６或いは倉庫用ラック、貨物展示ラック（６’）の上段板面（６００）底端にネジ止めされ、ヒンジの下段底フレーム（２）が壁面（６０）に固定され、上段板面（６００）を展開したい時は、上段活動フレーム（１）の環体（１０）内部の駆動ラチェット（１１）のラチェット歯（１１０）と下段底フレーム（２）両側の環体（１０）内部の伝動ラチェット（３２）のラチェット歯（３２０）の噛み合いを利用し、板面（６００）底端の上段活動フレーム（１）を回転させて使用角度（０度から１２０度）に展開し、この時、駆動ラチェット（１１）の両側の上下の凸キー（１１２）がそれぞれ下段底フレーム（２）の両端の環体（２１）内側の回転プッシャー（３１）のストッパブロック（３１０）と係止を形成し、展開をストップして使用角度に位置決めする（図６）。また、ヒンジの上段活動フレーム（１）をさらに上向きに展開して１２０度を超過する時（図７、８、９）、駆動ラチェット（１１）両側上下の凸キー（１１２）が回転プッシャー（３１）のストッパブロック（３１０）を押して回転移動させ、並びに回転プッシャー（３１）の一側が嵌め溝（３２２）内の弧形凸塊（３１２）と離脱状を呈すると共に、伝動ラチェット（３２）を押動してそれぞれ外向きに直線移動させる。このとき、駆動ラチェット（１１）と伝動ラチェット（３２）の間のラチェット歯（１１０）、（３２０）が未噛み合い状態（離脱状態）となり、上段活動フレーム（１）を反対方向に回転させ並びに回転プッシャー（３１）の別側のストッパブロック（３１０）を回し、回転プッシャー（３１）の一側の弧形凸塊（３１２）を回転させ伝動ラチェット（３２）の嵌め溝（３２２）内に嵌め込み、即ちこうして上段活動フレーム（１）の板面（６００）に固定し、折り畳み位置決め状態を達成する（図１０）。
【００１５】
別に、図１１、１２は、本発明のヒンジ装置と回転連接シートの分解図と組合せ側面図であり、それは上段活動フレーム（１）の下方に回転連接シート（７）が設けられ、該回転連接シート（７）の両側よりそれぞれ上向きにネジ止め面（７０）が凸伸し、テーブル（６）或いは倉庫用ラック、貨物展示ラック（６’）の板面（６００）を壁面（６０）に固定するのに供され、回転連接シート（７）の板体（７１）上方にスプリング（７２）が固定され、板体（７１）の両側にネジ（７１０）を挿入する長孔（７１１）が設けられ、スプリング（７２）の両側に折り曲げにより形成された円弧端（７２０）がネジ（７１０）の後端に支持され、このスプリング（７２）の弾力により、上段活動フレーム（１）上方板面（６００）が上向きに展開されて使用角度とされる時に９０度を超過する時、回転連接シート（７）の上方の板面（６００）が壁面（６０）の衝突した後、さらに前向きに移動し、板面（６００）が即ち壁面（６０）と当接状を呈し（図１３）、これにより板面（６００）が展開時に固定された壁面（６０）との間に間隙を発生しない（接触状態を呈する）、これにより外観に影響を与えない。
【００１６】
【発明の効果】
本発明はテーブル或いは倉庫用ラック、貨物展示ラックなどの限位を必要とするヒンジに使用され、上段板面を使用状況に依り展開使用するか或いは折り畳みにより空間を占用しないようにし、ヒンジの上段と下段の中間に設けられた駆動ラチェット両側の凸キーと伝動ラチェット内側に挿入された回転プッシャーのストッパブロックのストッパ角度を利用し、上段板面を使用角度（０度から１２０度）に展開する時に位置決めし、上段板面を続けて上向きに展開して使用角度を超過する時（１２０度を超過）、即ち凸キーがストッパブロックを押動して回転プッシャーに伝動ラチェットを押させてそれぞれ外向きに直線移動させ、即ち、上段板面の折り畳みを達成する。
【図面の簡単な説明】
【図１】本発明の分解斜視図である。
【図２】本発明の斜視図である。
【図３】本発明の伝動装置の分解斜視図である。
【図４】本発明の組合せ状況図（倉庫用ラック或いは貨物用展示ラックにネジ止め）である。
【図５】本発明の上段活動フレームを９０度に展開した状態図である。
【図６】図５の正面組合せ断面図である。
【図７】本発明の上段活動フレームを使用角度０〜１２０度に展開する表示図である。
【図８】本発明の上段活動フレームを続けて上向きに展開し使用角度を超過（１２０度を超過）した表示図である。
【図９】図８の正面図である。
【図１０】本発明の折り畳み側面図である。
【図１１】本発明のヒンジ装置と回転連接シートの分解斜視図である。
【図１２】図１１のヒンジ装置と回転連接シートの組合せ側面状況図である。
【図１３】図１１のヒンジ装置の上段活動フレームの展開前方移動表示図である。
【符号の説明】
１  上段活動フレーム          ３１２  弧形凸塊
１０  環体                    ３１３  孔
１００  環孔                  ３２  伝動ラチェット
１０００  平面                ３２０  ラチェット歯
１０１  ネジ                  ３２１  収容空間
１０２  固定端                ３２２  嵌め溝
１１  駆動ラチェット          ３２３  凸棒
１１０  ラチェット歯          ３２４  平面
１１１  凹槽                  ３３  スプリング
１１２  凸キー                ３３０  第１端
１１３  平面                  ３３１  もう一端
１１３０  ネジ孔              ４  キャップ
２  下段底フレーム            ４０  雄ネジ端
２０  切欠き                  ６  テーブル
２１  環体                    ６’  倉庫用ラック、貨物展示ラック
２１０  平面                  ６０  壁面
２１１  環孔                  ６００  板面
２１１０  雌ネジ              ７  回転連接シート
３  伝動装置                  ７０  固定面
３０  軸心                    ７１  板体
３００  軸棒                  ７１０  ネジ
３１  回転プッシャー          ７１１  長孔
３１０  ストッパブロック      ７２  スプリング
３１１  凹面                  ７２０  円弧端
【図１】
0003751902.tif 000002
【図２】
0003751902.tif 000003
【図３】
0003751902.tif 000004
【図４】
0003751902.tif 000005
【図５】
0003751902.tif 000006
【図６】
0003751902.tif 000007
【図７】
0003751902.tif 000008
【図８】
0003751902.tif 000009
【図９】
0003751902.tif 000010
【図１０】
0003751902.tif 000011
【図１１】
0003751902.tif 000012
【図１２】
0003751902.tif 000013
【図１３】
0003751902.tif 000014